(57)【要約】【課題】切りくず処理性および加工穴の加工精度に優れ、切れ刃を再研磨する度にニックを研削加工する必要のない、工具寿命に優れた穴あけ工具を提供することを目的とする。【解決手段】  切れ刃部１５がダイヤモンド焼結体、立方晶窒化ホウ素焼結体等の超高圧焼結体から形成された、穴あけ工具２００に取り付けられるチップ１００の製造方法において、この穴あけ工具２００に取り付ける前におけるチップ１００の切れ刃部１５の一部を、ワイヤカット、レーザー加工、電子ビーム加工等の放電加工により、切れ刃部１５からすくい面１１方向に向かって切り欠いて、チップ１００の厚さＤ方向に貫通しつつすくい面１１方向にこの厚さＤよりも長く伸びるスリット１０を形成する工程を備えることを特徴とする。【選択図】      図１
2008062369.tif 000002
【特許請求の範囲】
【請求項１】
略平板状をなし、この上面に設けられたすくい面と、このすくい面と交差する側面に設けられた逃げ面と、これらすくい面と逃げ面との交差稜線部に設けられた切れ刃部とを有し、この切れ刃部がダイヤモンド焼結体、立方晶窒化ホウ素焼結体等の超高圧焼結体から形成された、穴あけ工具に取り付けられるチップの製造方法であって、
この穴あけ工具に取り付ける前におけるチップの切れ刃部の一部を、ワイヤカット、レーザー加工、電子ビーム加工等の放電加工により、前記切れ刃部から前記すくい面方向に向かって切り欠いて、前記チップの厚さ方向に貫通しつつ前記すくい面方向に伸びるスリットを形成する工程を備える
ことを特徴とする穴あけ工具に取り付けられるチップの製造方法。
【請求項２】
請求項１に記載の穴あけ工具に取り付けられるチップの製造方法により製造された穴あけ工具に取り付けられるチップを、穴あけ工具本体の先端部に形成されたチップ取付座に載置し、前記スリットが工具先端側から後端側に向かって伸びるように配置する工程と、
前記チップ取付座に前記穴あけ工具に取り付けられるチップを接合する工程と、
この接合された穴あけ工具に取り付けられるチップの前記切れ刃部を研磨して切れ刃を形成する工程を備える
ことを特徴とする穴あけ工具の製造方法。
【請求項３】
請求項２に記載の穴あけ工具の製造方法により製造された
ことを特徴とする穴あけ工具。
【発明の詳細な説明】
【技術分野】
【０００１】
本発明は、穴あけ工具に取り付けられるチップの製造方法、並びに穴あけ工具の製造方法および穴あけ工具に関し、特に、深穴加工等に好適に用いられるドリルに接合されて使用されるチップの製造方法、並びにドリルの製造方法およびドリルに関する。
【背景技術】
【０００２】
穴あけ工具の刃部材料としては、超硬合金、サーメット、セラミックス等が一般的であるが、近年、より硬い材料をより早く加工したいというニーズから、極めて硬度の高いダイヤモンド焼結体や立方晶窒化ホウ素（ｃＢＮ）焼結体が使用されるようになってきた。特に、アルミニウム合金や銅合金の加工においては、超硬工具では刃先に加工材料が溶着しやすく高精度の仕上げ面を得ることができないため、それらの加工材料と溶着しにくいダイヤモンド焼結体が適用されている。また、焼入鋼や鋳鉄等の仕上げ加工においては、ダイヤモンド焼結体より鉄と反応しにくく硬度が高い立方晶窒化ホウ素（ｃＢＮ）焼結体が適用されている。
一方、アルミニウム合金、鋳鉄等を材料とする自動車のオートマティックトランスミッション部品であるコントロールバルブボディのスプール穴やエンジンなどの製造工程においては、異物の混入を回避する必要性および切りくず処理向上の観点から、穴あけ加工の際に生じる切りくずの細分化が強く要求されている。
この点、従来より、切りくずを分断するための手段としてドリル先端部の切れ刃の一部を切り欠いてニックを設けたニック付ドリルが知られている。このニック付ドリルは、通常、ニックが切れ刃から逃げ面に沿って設けられているため（図７参照）、ドリル先端部の切れ刃を再研磨する場合には再度ニックを研削加工しなければならず作業が煩雑であった。そこで、この問題を解決するために、ニックが切れ刃から溝面に沿って連続的に設けられているニック付ドリルが提案されている（例えば、特許文献１参照）。
【特許文献１】実開昭６１−１２０４１０号公報（第１図）
【発明の開示】
【発明が解決しようとする課題】
【０００３】
しかし、ダイヤモンド焼結体や立方晶窒化ホウ素（ｃＢＮ）焼結体を刃部材料とする場合には、その硬度が非常に高いことから、ニックの研削加工には長時間を要し、また、通常の研削加工では微細な形状のニックを所定位置に正確に加工することは困難であるという問題があった。さらに、かかる場合ダイヤモンドホイール等の高価な砥石を使用しなければならないにもかかわらず、研削比が極端に低いので、被削材より砥石が削れられる状態になってしまう恐れもあり、砥石寿命が短くなってしまうという問題もあった。
また、上記特許文献１の発明では、刃部を含むボデーからシャンクまでの工具全体が同一材料からなるソリッドドリルであることから、ダイヤモンド焼結体や立方晶窒化ホウ素（ｃＢＮ）焼結体により切れ刃を形成すると、材料費が非常に高いことから製造コストが高くなってしまうという問題があった。また、ニック溝が、切れ刃から切屑排出溝の溝面に沿って、切屑排出溝と平行に連続して延びるように設けられることから、ニック溝を加工するのに長時間を要し製造効率が極めて悪いという問題があった。
【０００４】
本発明は、上記問題を解決するためになされたもので、切りくず処理性および加工穴の加工精度に優れ、短時間かつ低コストで製造することができ、切れ刃を再研磨する度にニックを研削加工する必要のない、工具寿命に優れた穴あけ工具を提供することを課題とする。
【課題を解決するための手段】
【０００５】
上記課題を解決するために、本発明は以下の手段を採用する。
請求項１に記載の発明は、略平板状をなし、この上面に設けられたすくい面と、このすくい面と交差する側面に設けられた逃げ面と、これらすくい面と逃げ面との交差稜線部に設けられた切れ刃部とを有し、この切れ刃部がダイヤモンド焼結体、立方晶窒化ホウ素焼結体等の超高圧焼結体から形成された、穴あけ工具に取り付けられるチップの製造方法であって、この穴あけ工具に取り付ける前におけるチップの切れ刃部の一部を、ワイヤカット、レーザー加工、電子ビーム加工等の放電加工により、切れ刃部からすくい面方向に向かって切り欠いて、チップの厚さ方向に貫通しつつすくい面方向に伸びるスリットを形成する工程を備えることを特徴とする。
【０００６】
本発明によれば、硬度の極めて高い被削材も加工することができ複雑、微細な形状の加工も容易に行うことができる放電加工によって切れ刃部にスリットを形成することから、従来の研削加工ではできないような複雑、微細な形状のスリットを形成することが可能であり、切れ刃部が超高圧焼結体から形成されたものであっても、スリットの幅、長さ、位置などを自由に設定することができ、切りくず分断のためのスリットを短時間で能率よく形成することができる。
【０００７】
請求項２に記載の発明は、請求項１に記載の穴あけ工具に取り付けられるチップの製造方法により製造された穴あけ工具に取り付けられるチップを、穴あけ工具本体の先端部に形成されたチップ取付座に載置し、スリットが工具先端側から後端側に向かって伸びるように配置する工程と、チップ取付座に前記穴あけ工具に取り付けられるチップを接合する工程と、この接合された穴あけ工具に取り付けられるチップの前記切れ刃部を研磨して切れ刃を形成する工程を備えることを特徴とする。
【０００８】
本発明によれば、チップ取付座に接合する前におけるチップの切れ刃部にあらかじめスリットを形成することから、切りくず分断のためのスリットを所望の位置および形状に、正確かつ容易に形成することができる。そして、チップ取付座に接合する前におけるチップの切れ刃部に、あらかじめワイヤカット、レーザー加工、電子ビーム加工等の放電加工によりスリットを形成することから、製造工程が簡略化され製造効率の向上および製造コストの縮減を図ることができる。また、このスリットを工具先端側から後端側に向かってすくい面に沿って伸びるように配置してチップを接合することから、切削を行った後に切れ刃を再研磨する場合であっても改めてスリットを加工形成する必要がないので、この製造方法によればスリットを所望の位置および形状に安定させることができる。
【０００９】
請求項３に記載の発明は、請求項２に記載の穴あけ工具の製造方法により製造されたことを特徴とする。
【００１０】
本発明によれば、切れ刃部の一部を切れ刃部からすくい面方向に向かって切り欠いて、チップの厚さ方向に貫通するとともにすくい面方向に伸びるスリットが形成されていることから、スリット箇所における切れ刃がスリットの深さ即ちチップの厚さの分だけ後退する。この切れ刃の逃げ角方向から見た後退量が切取り厚さよりも大きいと、そのスリット箇所は切削に関与しないことから、切りくずが分断されることになる。ここで、この穴あけ工具には、通常２枚のチップが互いの切れ刃部が工具回転軸の対称位置となるように取り付けられる。そして、これらの切れ刃部の夫々に１以上形成された各スリットは、チップ取付状態において回転軸に対して非対称になるように互いに半径方向にずらして配置されるとともに、それらの回転軌跡がそれぞれ異なるように構成される。よって、このスリット箇所での削り残し部分は、半回転後に反対側にある切れ刃によって１枚刃で切削されることになる。
【００１１】
このような切りくずの分断により、穴あけ深さが増しても切りくずを容易に排出することができ、幅が狭い切りくずは容易に弾性変形するので、切りくずによる引っかき傷やむしれ跡が残りにくく、穴内面の粗さやうねり等の仕上げ面の品位に優れる。また、穴あけ深さが増しても切りくず詰まりを起こすことがないので切削抵抗やトルクが増大、変動することがないため、穴出口側に発生するバリの抑制を図ることができるとともに、切れ刃の摩耗や欠損が少なく、工具寿命に優れる。さらに、被削材の加工部分が狭い場合であっても、切りくずの微細化により被削材への切りくず残留を防止することができるので、穴あけ加工後にエアー等で切りくずを洗浄する必要が生じて作業が煩雑になるという問題もない。
【００１２】
また、このスリットは工具先端側から後端側に向かってすくい面に沿って伸びるように形成されることから、切削を行った後に切れ刃を再研磨する場合であっても、改めてスリットを加工形成することなく新品時と同様の性能を得ることができるので、作業効率に優れる。そして、切れ刃を再研磨する度にスリットを再成形する必要がないため、スリットの位置および形状を常に安定させることができる。
【００１３】
さらに、切れ刃部が超高圧焼結体から形成されることから、耐摩耗性が高く、極めて優れた工具寿命を得ることができる。特に、切れ刃部がアルミニウム合金や銅合金と溶着しにくいダイヤモンド焼結体から形成される場合には、これらを被削材とする穴あけ加工において高精度の仕上げ面を得ることができる点で有用である。また、切れ刃部が鉄と反応しにくい立方晶窒化ホウ素（ｃＢＮ）焼結体から形成される場合には、焼入鋼や鋳鉄等の仕上げ加工において高精度の仕上げ面を得ることができる点で有用である。また、チップを切れ刃として工具本体に接合した穴あけ工具であることから、ソリッドドリルに比べ製造コストが低く、切れ刃が超高圧焼結体からなる穴あけ工具を安価に提供することができる。
【発明の効果】
【００１４】
請求項１の穴あけ工具に取り付けられるチップの製造方法によれば、切れ刃部が超高圧焼結体から形成されたものであっても、切れ刃部に従来の研削加工ではできないような複雑、微細な形状の切りくず分断のためのスリットを短時間で能率よく形成することができるという効果を奏する。
【００１５】
請求項２の穴あけ工具の製造方法によれば、切りくず分断のためのスリットを所望の位置および形状に、正確かつ容易に形成することができ、製造効率の向上を図ることができるという効果を奏する。
【００１６】
請求項３の穴あけ工具によれば、切りくず処理性および加工穴の加工精度に優れ、短時間かつ低コストで製造することができ、切れ刃を再研磨する度に切りくずを分断するためのスリットを再度研削加工する必要のない、工具寿命に優れた穴あけ工具を提供できるという効果を奏する。
【発明を実施するための最良の形態】
【００１７】
以下、本発明の穴あけ工具に取り付けられるチップの製造方法および穴あけ工具の製造方法の一実施形態について、図面に基づいて説明する。
図１は、本発明の穴あけ工具に取り付けられるチップの製造方法により製造されたチップの一実施例に係るチップを示す斜視図である。そして、図２は、本発明の穴あけ工具の製造方法により製造された穴あけ工具の一実施例に係る図１のチップが接合されたドリルを示す正面図であり、図３はその左側面図、図５はその刃先部分の拡大図である。また、図４（ａ）は、図２に示すドリルのチップ取付前におけるチップ取付座の斜視図であり、図４（ｂ）はそのチップ取付後におけるチップ取付座の斜視図である。さらに、図６は、本実施例に係るドリルの切りくず分断機構を説明する模式図である。
【００１８】
本実施形態に係る穴あけ工具に取り付けられるチップおよび穴あけ工具の製造方法においては、先ず、ダイヤモンド焼結体、立方晶窒化ホウ素焼結体等の超高圧焼結体から形成された円盤状のブランクスを作製する。
そして、この円盤状のブランクスからワイヤカット、レーザー加工、電子ビーム加工等の放電加工により、略平板状に切り出し、その上面に設けられたすくい面１１と、そのすくい面１１と交差する側面に設けられた逃げ面１２との交差稜線部に、切れ刃部１５を有するチップを得る。
こうして得られたチップの切れ刃部１５の一部を、ワイヤカット、レーザー加工、電子ビーム加工等の放電加工により、その切れ刃部１５からすくい面１１を構成する上面方向に切り欠いて、チップの厚さＤ方向に貫通しつつすくい面１１方向に伸びる、クシ歯のような切りくず分断のためのスリット１０を１または２以上形成することにより（図１参照）、ドリルに取り付けられるチップ１００を製造する。
【００１９】
次に、ドリル本体の先端部における側部に設けられたドリル回転軸に対して対称になるように互いに配置された一対のチップ取付座２０，２０に（図３参照）、上述のようにして製造された２つのチップ１００，１００を、これらチップのすくい面１１，１１をドリル回転方向側に向け、逃げ面１２，１２をドリル先端側に向けるようにして載置し（図４参照）、これらのスリット１０，１０を工具先端側から後端側に向かってすくい面１１に沿って伸びるように配置して（図５参照）、ろう付け等により一体的に接合する。
そして、この接合されたチップ１００，１００の各切れ刃部１５，１５を研磨して一対の切れ刃１５，１５を形成することによりドリル２００を製造する（図２参照）。
【００２０】
このようにドリル本体２００のチップ取付座２０に接合する前のチップ１００の切れ刃部１５に、ワイヤカット、レーザー加工、電子ビーム加工等の放電加工により、あらかじめスリット１０を加工形成することから、従来の研削加工ではできないような複雑、微細な形状のスリットを形成することが可能であり、切れ刃部が超高圧焼結体から形成されたものであっても、スリット１０の幅Ｗ、長さＬ及び位置などを自由に設定することができる。したがって、切りくず分断のためのスリット１０を所望の位置および形状に正確かつ容易に能率よく形成することができることから、研削加工により切りくず分断のためのニックを設けた従来のニック付ドリルに比べ、製造工程が簡略化され製造効率の向上および製造コストの縮減を図ることができ、切りくず処理性および加工穴の加工精度に優れたドリルを短時間かつ低コストで提供することが可能となる。
【００２１】
ここで、切りくず分断のために設けられるスリット１０の形状とその位置は、加工穴の表面粗さや真円度、穴出口に発生するバリの抑制などに対しても敏感に影響してくるものと考えられる。この点、本実施形態に係る製造方法よれば、チップ取付座２０に接合する前のチップ１００の切れ刃部１５に、あらかじめワイヤカット、レーザー加工、電子ビーム加工等の放電加工によりスリット１０を形成するので、スリット１０を所望する位置および形状に正確に加工形成することが可能であり、安定した性能を有するドリルを量産することができる。
【００２２】
以下、本発明の穴あけ工具の一実施例に係るドリルについて、図面に基づいて説明する。
本実施例に係るドリル２００は、図２および図３に示されるように、略棒状をなし、先端部に一対のチップ取付座２０，２０を有し、外周面に先端から後端側に向けて伸びる切屑排出溝２１を有するボデー２２と、このボデー２２の後端に一体的に形成されるシャンク２３とから構成されている。
そして、ドリル本体２００の先端部における側部においてドリル回転軸に対して対称になるように互いに配置された一対のチップ取付座２０，２０に、切れ刃１５，１５として２枚のチップ１００，１００を一体的に接合した上で、ドリル本体２００を回転させつつ軸方向に前進させて使用される。
【００２３】
一方、チップ１００は、図１に示されるように、略平板状をなし、その上面にすくい面１１と、このすくい面１１に交差するチップ側面に逃げ面１２と、この逃げ面１２に交差するチップ側面にマージン１３とから構成されている。この逃げ面１２には角度ρの逃げ面加工が施されている。また、このすくい面１１をドリル回転方向側に向け、この逃げ面１２をドリル先端側に向けるとともに、このマージン１３をドリル外周側に向けるようにしてドリル本体２００に一体的に固着されて、これらすくい面１１と逃げ面１２との交差稜線部に切れ刃１５が形成され、これら逃げ面１２とマージン１３との交差稜線部に外周コーナー１６が形成されるとともに、これらマージン１３とすくい面１１との交差稜線部にリーディングエッジ１７が形成されている。
そして、２枚のチップ１００，１００がドリル本体２００のチップ取付座２０，２０に接合され（図４参照）、切れ刃部１５，１５がドリル回転軸の対称位置となるように設置されて使用される。
つまり、このドリル２００は２枚の切れ刃１５，１５により穴あけを行うことになる。
【００２４】
このチップ全体１００または少なくともその切れ刃部１５は、硬度の極めて高いダイヤモンド焼結体、立方晶窒化ホウ素（ｃＢＮ）焼結体等の超高圧焼結体から形成される。
したがって、切れ刃１５の耐摩耗性が高く、極めて優れた工具寿命を得ることができる。これら超高圧焼結体のうち、特に、ダイヤモンド焼結体は、アルミニウム合金や銅合金と溶着しにくいため、アルミニウム合金や銅合金の加工において仕上げ面粗さ等の加工穴の加工精度に優れる点で有用であり、立方晶窒化ホウ素（ｃＢＮ）焼結体は、鉄と反応しにくいため焼入鋼や鋳鉄等の仕上げ加工において高精度の仕上げ面が得られる点で有用である。また、チップ１００を切れ刃としてドリル本体の先端部に接合した付刃ドリル２００であることから、工具全体を超高圧焼結体から形成する必要がないので、ソリッドドリルに比べ製造コストを低く押さえることができる。
【００２５】
また、このチップ１００の切れ刃部１５には、その一部を切り欠いてなる、ドリルの軸方向の切取り厚さｈよりも深く、すくい面１１方向に長く伸びるクシ歯のようなスリット１０が形成される。このようなスリット１０を形成した場合、スリット箇所１０におけるすくい面１１と逃げ面１２との交差稜線部（切れ刃）１５は、チップの厚さ、すなわち、スリットの深さＤの分だけ後退する。その切れ刃１５の逃げ角ρ方向から見た後退量ｅが切取り厚さｈよりも大きいと、そのスリット箇所１０は切削に関与しないことから、切りくずが分断される。そして、これらのスリット１０がチップ取付状態において回転軸に対して非対称になるように互いに半径方向にずらして配置され、それらの回転軌跡がそれぞれ異なるように構成されていることから、このスリット箇所１０での削り残し部分は、半回転後にお互いの反対側にある切れ刃１５によって１枚刃で切削される。つまり、これらのスリット部１０を除く切れ刃１５の１刃あたりの送り量は半回転当たりの送り量ｆ／２となるのに対し、スリット部１０の１刃あたりの送り量は一回転当たりの送り量ｆとなる。また、スリット部以外の切れ刃１５における切取り厚さｈに対し、スリット部１０の切取り厚さはその２倍の２ｈとなる。
【００２６】
このように本実施例に係るドリル２００によれば切れ刃１５にスリット１０が形成されていることから切りくずの分断がおこり、この切りくずの分断により切削に伴い発生する切りくずが細かくなるので、穴あけ深さが増しても切りくずが滑らかに流出されて、切りくずが穴内面に当たって流出が妨げられることもなく、切りくずの厚さが増加したり、形状が変化したりすることがない。そのため、軸方向の切込み深さや回転当たりの送り量等を増大しても切りくず詰まりを起こすことがないので加工精度の良い加工穴を得ることができ、加工能率の向上を図ることができる。また、この細分化された切りくずは撓みやすくなるので、切りくずによる引っかき傷やむしれ跡が残りにくく、穴内面の粗さやうねり等の仕上げ面の品位に優れる。そして、穴が深くなっても、切りくず詰まりを起こすことも穴内面に拘束されることもないため、切削抵抗やトルクが増大、変動することがない。よって、穴出口側に発生するバリの抑制を図ることができるとともに、切れ刃の磨耗や欠損、ドリルの折損等を防止することができ、工具寿命に優れる。また、被削材への切りくずの残留を防止することができることから、穴あけ加工後にエアー等で洗浄して切りくずを除去する作業を省略または短縮することができるので作業効率が向上する。
【００２７】
このスリット１０の数は、特に限定されるものではなく、求められる切りくずの幅によって複数のスリット１０が適宜設けられる。
例えば、切れ刃部１５に１つのスリット１０が形成されたチップを２つ装着した２枚刃ドリル２００を用いて穴あけを行うと、２枚の切れ刃１５，１５の各々のスリット箇所１０，１０において切りくずが縦に２分割されることとなるが（図６(ａ)参照）、２つのスリットが形成されたチップを装着した場合には切りくずが３分割されることになるため、２分割の場合よりも幅の狭い切りくずを得ることができる。つまり、スリット数を増加することにより切りくずの微細化を図ることが可能となる。
【００２８】
また、スリット幅Ｗは、スリット部以外の切れ刃１５およびスリット部１０の切れ刃がなるべく均等に配分されるような範囲内において、求められる切りくずの幅によって適宜設計される。
この場合において、スリット数を増加することによる切りくずの微細化の点を考慮すると、スリット幅Ｗは小さくすることが好ましい。チップ幅Ｗが一定のときは、スリットの幅Ｗが狭ければ狭いほどスリット数を増加することができるからである。
【００２９】
例えば、チップ幅Ａを５ｍｍ、スリットの間隔Ｉを１．０ｍｍとした場合、スリット幅Ｗが１．０ｍｍのときは、２枚のチップ１００，１００の夫々の切れ刃１５，１５に１つずつしかスリットを構成することができず、得られる切りくずは４つに分割されたものとなる（図６(ｃ)参照）。これに対し、スリット幅Ｗが０．３ｍｍのときは、一方のチップ１００の切れ刃１５には１つのスリット１０、もう一方のチップ１００の切れ刃１５には２つスリット１０，１０を構成することができるので、得られる切りくずは５分割されたものとなる（図６(ｂ)参照）。よって、スリット幅Ｗを１．０ｍｍとするより０．３ｍｍに設定した方が切りくずが微細化されるので、切りくず処理性が向上するといえる。
【００３０】
このように切りくずの微細化を目的としてドリル全体として設けられるスリット１０の数を可能な限り多く設定する場合においては、一対のチップ取付座２０，２０に接合される２つのチップ１００，１００のうち、一方のチップ１００の切れ刃１５に形成されたスリット１０と、このスリット箇所１０の削り残し部分を半回転後に切削するこのチップ１００と反対側に配置された、他方のチップ１００の切れ刃１５に形成されたスリット１０との間隔Ｉを一定としたときの、スリットの幅Ｗと切りくずの幅の最大値Ｂとの関係式は、下記の式により表すことができる。
【数１】
2008062369.tif 000003
【００３１】
実際には、ドリルの先端角の角度αによって発生する切りくずの幅は異なるので、最大切りくず幅Ｃは、理論的には下記の式によって求められることになる（図６(ｄ)参照）。
【数２】
2008062369.tif 000004
【００３２】
すなわち、先端角αが１４０°の２枚刃ドリル２００に接合された、チップ幅Ａが５ｍｍの各チップ１００，１００の切れ刃１５，１５に、チップ取付状態において互いの反対側に配置されるスリット１０とスリット１０の間隔Ｉが１．０ｍｍとなるようにスリットが構成されている場合において、スリット幅Ｗを１．０ｍｍとしたときは、切りくずの幅の最大値Ｂは３．０ｍｍとなり、θが２０°となることから、最大切りくず幅Ｃは３．１９ｍｍとなる。これに対し、同条件の下、スリット幅Ｗを０．３ｍｍとしたときは、最大切りくず幅Ｃは２．４５ｍｍとなる。したがって、スリット幅Ｗを１．０ｍｍとするより０．３ｍｍとする方が、得られる切りくずの幅Ｃが狭くなり、切りくず処理性が向上するといえる。
【００３３】
このようなドリルが好適に用いられる代表的な例としては、自動車のオートマティックトランスミッション部品であるコントロールバルブボディのスプール穴やエンジンなどの製造工程における穴あけ加工等が挙げられる。このコントロールバルブボディには油圧回路を構成する作動油の流路溝があり、その幅が約３ｍｍ程度と狭いことから、それよりも幅の狭い切りくずが求められている。そこで、上記条件の下、スリット幅Ｗを０．３ｍｍに設計すれば、最大切りくず幅Ｃが２．４５ｍｍと小さくなることから、油圧回路への切りくず残存の恐れがなく、切りくず処理性が向上すると考える。これに対し、スリット幅Ｗを１．０ｍｍとしたときには、最大切りくず幅Ｃは３．１９ｍｍとなり、切りくず詰まりを起こす恐れがあるので好ましくない。
【００３４】
以上より、特に、工具径が８ｍｍ以上１８ｍｍ以下である小径のドリルに接合されるような小いさなチップである場合には、このスリットの幅Ｗの下限は０．２ｍｍが好ましく、上限は０．８ｍｍが好ましい。スリットの幅Ｗが０．８ｍｍより大きいと、チップの幅Ａが小さい場合にはスリット数を増やすことができず、スリット数の増加によって切りくずの微細化を図る場合に問題が生じるからである。また、このスリットの幅Ｗが０．２ｍｍより小さいと却って切りくずの分断による効果を十分に得られない可能性があるからである。
この点、本実施例に係るドリル２００においては、チップ取付座２０に接合する前のチップ１００の切れ刃部１５に、あらかじめワイヤカット、レーザー加工、電子ビーム加工等の放電加工によりスリット１０を形成することになるので、このようなスリット幅Ｗが０．２ｍｍ以上０．８ｍｍ以下の狭いスリットであっても、容易に能率よく加工形成することができる。
【００３５】
また、スリットの長さＬは、スリット箇所１０を境にチップ１００が折れない程度であれば、特に限定されないが、再研磨を想定した長さの範囲内において適宜設計される。
このように切りくず分断のためのスリット１０が、所定の長さＬで切れ刃１５からすくい面１１に沿って伸びるように構成されることから、ドリル２００の切れ刃１５を再研磨した場合に、スリット１０を再成形しなくても新品時と同様の性能を得ることができる。つまり、切れ刃１５を再研磨する度にスリット１０を再加工する必要がないため、研磨の前後においてスリット１０の位置、形状等がずれることがなく、再研磨前と同様の加工穴の表面粗さ、真円度等を得ることができる。よって、再研磨毎にニックを加工する必要がある、図７に示されるような、切りくず分断のためのニック３０が切れ刃から逃げ面３２に沿って設けられている従来のニック付ドリル３００に比べ、作業効率に優れる。
【００３６】
なお、本実施例として、主として深穴加工に用いられるストレート溝２１を有するドリル２００を例に挙げて説明したが、これに限定されるものではなく、ツイストドリル、ガンドリル、ガンリーマ、コアドリル等多種の穴あけ工具に適用することができる。
【００３７】
また、ドリル２００に取り付けられるチップの切れ刃部１５には、耐チッピング性の向上を図る観点から刃先強化処理として、すくい面視した幅が切取り厚さｈよりも大きくなるようなホーニングを施してもよい（図４(ｂ)参照）。
【図面の簡単な説明】
【００３８】
【図１】本発明の穴あけ工具に取り付けられるチップの製造方法により製造されたチップの一実施例に係るチップを示す斜視図である。
【図２】本発明の穴あけ工具の製造方法により製造された穴あけ工具の一実施例に係る図１のチップが接合されたドリルを示す正面図である。
【図３】図２に示すドリルの左側面図である。
【図４】図２に示すドリルのチップ取付座を示す図であり、(ａ)はチップ取付前におけるチップ取付座の斜視図、(ｂ)はチップ取付後におけるチップ取付座の斜視図である。
【図５】図２に示すドリルの刃先部分を示す拡大図である。
【図６】本実施例に係るドリルの切りくず分断機構を説明する模式図である。
【図７】従来のニック付ドリルの先端面を示す図である。
【符号の説明】
【００３９】
１０    スリット
１１    すくい面
１２    逃げ面
１５    切れ刃（切れ刃部）
２０    チップ取付座
１００  チップ
２００  ドリル
Ａ      チップ幅
Ｄ      スリットの深さ（チップの厚さ）
Ｌ      スリットの長さ
Ｗ      スリット幅
【図１】
2008062369.tif 000005
【図２】
2008062369.tif 000006
【図３】
2008062369.tif 000007
【図４】
2008062369.tif 000008
【図５】
2008062369.tif 000009
【図６】
2008062369.tif 000010
【図７】
2008062369.tif 000011